【手続補正書】
【提出日】令和2年5月21日(2020.5.21)
【手続補正１】
【補正対象書類名】明細書
【補正対象項目名】発明の名称
【補正方法】変更
【補正の内容】
【発明の名称】投影装置、端末装置、通信接続方法、及びプログラム
【手続補正２】
【補正対象書類名】明細書
【補正対象項目名】０００１
【補正方法】変更
【補正の内容】
【０００１】
本発明は、投影装置、端末装置、通信接続方法、及びプログラムに関する。
【手続補正３】
【補正対象書類名】明細書
【補正対象項目名】０００６
【補正方法】変更
【補正の内容】
【０００６】
上記課題を解決するため、本発明に係る第１の態様の投影装置は、第１の通信方式により通信を行う第１の通信手段と、前記第１の通信方式とは異なる第２の通信方式により通信を行う第２の通信手段と、前記第１の通信手段を介して通信接続した所定の端末装置が所定の中継装置との間における前記第２の通信方式による通信接続が設定されている場合に、前記第２の通信方式で前記中継装置に通信接続するための接続情報を前記第１の通信手段を介して前記端末装置から取得するとともに、当該取得した接続情報に基づいて前記中継装置との間で前記第２の通信方式により通信接続するための接続設定を行う制御部と、を備え、前記制御部は、前記端末装置から投影用の画像データを受信する場合には前記中継装置を介して受信する、ことを特徴とする。
また、本発明に係る第２の態様の投影装置は、所定の端末装置との間で第１の通信方式により通信を行う第１の通信手段と、所定の中継装置との間で前記第１の通信方式とは異なる第２の通信方式により通信を行う第２の通信手段と、前記第１の通信手段を介した前記端末装置からの所定の要求信号に応答して前記端末装置に前記中継装置との間で前記第２の通信方式により通信接続するための設定情報を返信するとともに、前記端末装置から投影用の画像データを受信する場合には前記中継装置を介して受信する制御部と、を備えている、ことを特徴とする。
また、本発明に係る第１の態様の端末装置は、第１の通信方式により通信を行う第１の通信手段と、前記第１の通信方式とは異なる第２の通信方式により通信を行う第２の通信手段と、前記第１の通信手段を介して通信接続した所定の投影装置が所定の中継装置との間における前記第２の通信方式による通信接続が設定されている場合に、前記第２の通信方式で前記中継装置に通信接続するための接続情報を前記第１の通信手段を介して前記投影装置から取得するとともに、当該取得した接続情報に基づいて前記中継装置との間で前記第２の通信方式により通信接続するための接続設定を行う制御部と、を備え、前記制御部は、前記投影装置に投影用の画像データを送信する場合には前記中継装置を介して送信する、ことを特徴とする。
また、本発明に係る第２の態様の端末装置は、所定の投影装置との間で第１の通信方式により通信を行う第１の通信手段と、所定の中継装置との間で前記第１の通信方式とは異なる第２の通信方式により通信を行う第２の通信手段と、前記第１の通信手段を介した前記投影装置からの所定の要求信号に応答して前記投影装置に前記中継装置との間で前記第２の通信方式により通信接続するための設定情報を返信するとともに、前記投影装置に投影用の画像データを送信する場合には前記中継装置を介して送信する制御部と、を備えている、ことを特徴とする。
また、本発明に係る第１の態様の通信接続方法は、第１の通信方式により通信を行う第１の通信手段と、前記第１の通信方式とは異なる第２の通信方式により通信を行う第２の通信手段と、を備えた投影装置が実行する通信接続方法であって、前記第１の通信手段を介して通信接続した所定の端末装置が所定の中継装置との間における前記第２の通信方式による通信接続が設定されている場合に、前記第２の通信方式で前記中継装置に通信接続するための接続情報を前記第１の通信手段を介して前記端末装置から取得するとともに、当該取得した接続情報に基づいて前記中継装置との間で前記第２の通信方式により通信接続するための接続設定を行い、前記端末装置から投影用の画像データを受信する場合には、前記中継装置を介して受信する、ことを特徴とする。
また、本発明に係る第２の態様の通信接続方法は、所定の端末装置との間で第１の通信方式により通信を行う第１の通信手段と、所定の中継装置との間で前記第１の通信方式とは異なる第２の通信方式により通信を行う第２の通信手段と、を備えた投影装置が実行する通信接続方法であって、前記第１の通信手段を介した前記端末装置からの所定の要求信号に応答して前記端末装置に前記中継装置との間で前記第２の通信方式により通信接続するための設定情報を返信するとともに、前記端末装置から投影用の画像データを受信する場合には前記中継装置を介して受信する、ことを特徴とする。
また、本発明に係る第３の態様の通信接続方法は、第１の通信方式により通信を行う第１の通信手段と、前記第１の通信方式とは異なる第２の通信方式により通信を行う第２の通信手段と、を備えた端末装置が実行する通信接続方法であって、前記第１の通信手段を介して通信接続した所定の投影装置が所定の中継装置との間における前記第２の通信方式による通信接続が設定されている場合に、前記第２の通信方式で前記中継装置に通信接続するための接続情報を前記第１の通信手段を介して前記投影装置から取得するとともに、当該取得した接続情報に基づいて前記中継装置との間で前記第２の通信方式により通信接続するための接続設定を行い、前記投影装置に投影用の画像データを送信する場合には、前記中継装置を介して送信する、ことを特徴とする。
また、本発明に係る第４の態様の通信接続方法は、所定の投影装置との間で第１の通信方式により通信を行う第１の通信手段と、所定の中継装置との間で前記第１の通信方式とは異なる第２の通信方式により通信を行う第２の通信手段と、を備えた端末装置が実行する通信接続方法であって、前記第１の通信手段を介した前記投影装置からの所定の要求信号に応答して前記投影装置に前記中継装置との間で前記第２の通信方式により通信接続するための設定情報を返信するとともに、前記投影装置に投影用の画像データを送信する場合には前記中継装置を介して送信する、ことを特徴とする。
また、本発明に係る第１の態様のプログラムは、第１の通信方式により通信を行う第１の通信手段と、前記第１の通信方式とは異なる第２の通信方式により通信を行う第２の通信手段と、を備えた投影装置のコンピュータを、前記第１の通信手段を介して通信接続した所定の端末装置が所定の中継装置との間における前記第２の通信方式による通信接続が設定されている場合に、前記第２の通信方式で前記中継装置に通信接続するための接続情報を前記第１の通信手段を介して前記端末装置から取得するとともに、当該取得した接続情報に基づいて前記中継装置との間で前記第２の通信方式により通信接続するための接続設定を行う制御部、として機能させ、前記制御部は、前記端末装置から投影用の画像データを受信する場合には前記中継装置を介して受信する、ことを特徴とする。
また、本発明に係る第２の態様のプログラムは、所定の端末装置との間で第１の通信方式により通信を行う第１の通信手段と、所定の中継装置との間で前記第１の通信方式とは異なる第２の通信方式により通信を行う第２の通信手段と、を備えた投影装置のコンピュータを、前記第１の通信手段を介した前記端末装置からの所定の要求信号に応答して前記端末装置に前記中継装置との間で前記第２の通信方式により通信接続するための設定情報を返信するとともに、前記端末装置から投影用の画像データを受信する場合には前記中継装置を介して受信する制御部として機能させる、ことを特徴とする。
また、本発明に係る第３の態様のプログラムは、第１の通信方式により通信を行う第１の通信手段と、前記第１の通信方式とは異なる第２の通信方式により通信を行う第２の通信手段と、を備えた端末装置のコンピュータを、前記第１の通信手段を介して通信接続した所定の投影装置が所定の中継装置との間における前記第２の通信方式による通信接続が設定されている場合に、前記第２の通信方式で前記中継装置に通信接続するための接続情報を前記第１の通信手段を介して前記投影装置から取得するとともに、当該取得した接続情報に基づいて前記中継装置との間で前記第２の通信方式により通信接続するための接続設定を行う制御部、として機能させ、前記制御部は、前記投影装置に投影用の画像データを送信する場合には前記中継装置を介して送信する、ことを特徴とする。
また、本発明に係る第４の態様のプログラムは、所定の投影装置との間で第１の通信方式により通信を行う第１の通信手段と、所定の中継装置との間で前記第１の通信方式とは異なる第２の通信方式により通信を行う第２の通信手段と、を備えた端末装置のコンピュータを、前記第１の通信手段を介した前記投影装置からの所定の要求信号に応答して前記投影装置に前記中継装置との間で前記第２の通信方式により通信接続するための設定情報を返信するとともに、前記投影装置に投影用の画像データを送信する場合には前記中継装置を介して送信する制御部として機能させる、ことを特徴とする。
【手続補正４】
【補正対象書類名】特許請求の範囲
【補正対象項目名】全文
【補正方法】変更
【補正の内容】
【特許請求の範囲】
【請求項１】
第１の通信方式により通信を行う第１の通信手段と、
前記第１の通信方式とは異なる第２の通信方式により通信を行う第２の通信手段と、
前記第１の通信手段を介して通信接続した所定の端末装置が所定の中継装置との間における前記第２の通信方式による通信接続が設定されている場合に、前記第２の通信方式で前記中継装置に通信接続するための接続情報を前記第１の通信手段を介して前記端末装置から取得するとともに、当該取得した接続情報に基づいて前記中継装置との間で前記第２の通信方式により通信接続するための接続設定を行う制御部と、
を備え、
前記制御部は、前記端末装置から投影用の画像データを受信する場合には前記中継装置を介して受信する、
ことを特徴とする投影装置。
【請求項２】
所定の端末装置との間で第１の通信方式により通信を行う第１の通信手段と、
所定の中継装置との間で前記第１の通信方式とは異なる第２の通信方式により通信を行う第２の通信手段と、
前記第１の通信手段を介した前記端末装置からの所定の要求信号に応答して前記端末装置に前記中継装置との間で前記第２の通信方式により通信接続するための設定情報を返信するとともに、前記端末装置から投影用の画像データを受信する場合には前記中継装置を介して受信する制御部と、
を備えている、
ことを特徴とする投影装置。
【請求項３】
前記第１の通信方式は、Bluetooth（登録商標）であり、
前記第２の通信方式は、Ｗｉ−Ｆｉ（登録商標）である、
ことを特徴とする請求項１又は２に記載の投影装置。
【請求項４】
第１の通信方式により通信を行う第１の通信手段と、
前記第１の通信方式とは異なる第２の通信方式により通信を行う第２の通信手段と、
前記第１の通信手段を介して通信接続した所定の投影装置が所定の中継装置との間における前記第２の通信方式による通信接続が設定されている場合に、前記第２の通信方式で前記中継装置に通信接続するための接続情報を前記第１の通信手段を介して前記投影装置から取得するとともに、当該取得した接続情報に基づいて前記中継装置との間で前記第２の通信方式により通信接続するための接続設定を行う制御部と、
を備え、
前記制御部は、前記投影装置に投影用の画像データを送信する場合には前記中継装置を介して送信する、
ことを特徴とする端末装置。
【請求項５】
所定の投影装置との間で第１の通信方式により通信を行う第１の通信手段と、
所定の中継装置との間で前記第１の通信方式とは異なる第２の通信方式により通信を行う第２の通信手段と、
前記第１の通信手段を介した前記投影装置からの所定の要求信号に応答して前記投影装置に前記中継装置との間で前記第２の通信方式により通信接続するための設定情報を返信するとともに、前記投影装置に投影用の画像データを送信する場合には前記中継装置を介して送信する制御部と、
を備えている、
ことを特徴とする端末装置。
【請求項６】
前記第１の通信方式は、Bluetooth（登録商標）であり、
前記第２の通信方式は、Ｗｉ−Ｆｉ（登録商標）である、
ことを特徴とする請求項４又は５に記載の端末装置。
【請求項７】
第１の通信方式により通信を行う第１の通信手段と、前記第１の通信方式とは異なる第２の通信方式により通信を行う第２の通信手段と、を備えた投影装置が実行する通信接続方法であって、
前記第１の通信手段を介して通信接続した所定の端末装置が所定の中継装置との間における前記第２の通信方式による通信接続が設定されている場合に、前記第２の通信方式で前記中継装置に通信接続するための接続情報を前記第１の通信手段を介して前記端末装置から取得するとともに、当該取得した接続情報に基づいて前記中継装置との間で前記第２の通信方式により通信接続するための接続設定を行い、
前記端末装置から投影用の画像データを受信する場合には、前記中継装置を介して受信する、
ことを特徴とする通信接続方法。
【請求項８】
所定の端末装置との間で第１の通信方式により通信を行う第１の通信手段と、所定の中継装置との間で前記第１の通信方式とは異なる第２の通信方式により通信を行う第２の通信手段と、を備えた投影装置が実行する通信接続方法であって、
前記第１の通信手段を介した前記端末装置からの所定の要求信号に応答して前記端末装置に前記中継装置との間で前記第２の通信方式により通信接続するための設定情報を返信するとともに、前記端末装置から投影用の画像データを受信する場合には前記中継装置を介して受信する、
ことを特徴とする通信接続方法。
【請求項９】
第１の通信方式により通信を行う第１の通信手段と、前記第１の通信方式とは異なる第２の通信方式により通信を行う第２の通信手段と、を備えた端末装置が実行する通信接続方法であって、
前記第１の通信手段を介して通信接続した所定の投影装置が所定の中継装置との間における前記第２の通信方式による通信接続が設定されている場合に、前記第２の通信方式で前記中継装置に通信接続するための接続情報を前記第１の通信手段を介して前記投影装置から取得するとともに、当該取得した接続情報に基づいて前記中継装置との間で前記第２の通信方式により通信接続するための接続設定を行い、
前記投影装置に投影用の画像データを送信する場合には、前記中継装置を介して送信する、
ことを特徴とする通信接続方法。
【請求項１０】
所定の投影装置との間で第１の通信方式により通信を行う第１の通信手段と、所定の中継装置との間で前記第１の通信方式とは異なる第２の通信方式により通信を行う第２の通信手段と、を備えた端末装置が実行する通信接続方法であって、
前記第１の通信手段を介した前記投影装置からの所定の要求信号に応答して前記投影装置に前記中継装置との間で前記第２の通信方式により通信接続するための設定情報を返信するとともに、前記投影装置に投影用の画像データを送信する場合には前記中継装置を介して送信する、
ことを特徴とする通信接続方法。
【請求項１１】
第１の通信方式により通信を行う第１の通信手段と、前記第１の通信方式とは異なる第２の通信方式により通信を行う第２の通信手段と、を備えた投影装置のコンピュータを、
前記第１の通信手段を介して通信接続した所定の端末装置が所定の中継装置との間における前記第２の通信方式による通信接続が設定されている場合に、前記第２の通信方式で前記中継装置に通信接続するための接続情報を前記第１の通信手段を介して前記端末装置から取得するとともに、当該取得した接続情報に基づいて前記中継装置との間で前記第２の通信方式により通信接続するための接続設定を行う制御部、
として機能させ、
前記制御部は、前記端末装置から投影用の画像データを受信する場合には前記中継装置を介して受信する、
ことを特徴とするプログラム。
【請求項１２】
所定の端末装置との間で第１の通信方式により通信を行う第１の通信手段と、所定の中継装置との間で前記第１の通信方式とは異なる第２の通信方式により通信を行う第２の通信手段と、を備えた投影装置のコンピュータを、
前記第１の通信手段を介した前記端末装置からの所定の要求信号に応答して前記端末装置に前記中継装置との間で前記第２の通信方式により通信接続するための設定情報を返信するとともに、前記端末装置から投影用の画像データを受信する場合には前記中継装置を介して受信する制御部として機能させる、
ことを特徴とするプログラム。
【請求項１３】
第１の通信方式により通信を行う第１の通信手段と、前記第１の通信方式とは異なる第２の通信方式により通信を行う第２の通信手段と、を備えた端末装置のコンピュータを、
前記第１の通信手段を介して通信接続した所定の投影装置が所定の中継装置との間における前記第２の通信方式による通信接続が設定されている場合に、前記第２の通信方式で前記中継装置に通信接続するための接続情報を前記第１の通信手段を介して前記投影装置から取得するとともに、当該取得した接続情報に基づいて前記中継装置との間で前記第２の通信方式により通信接続するための接続設定を行う制御部、
として機能させ、
前記制御部は、前記投影装置に投影用の画像データを送信する場合には前記中継装置を介して送信する、
ことを特徴とするプログラム。
【請求項１４】
所定の投影装置との間で第１の通信方式により通信を行う第１の通信手段と、所定の中継装置との間で前記第１の通信方式とは異なる第２の通信方式により通信を行う第２の通信手段と、を備えた端末装置のコンピュータを、
前記第１の通信手段を介した前記投影装置からの所定の要求信号に応答して前記投影装置に前記中継装置との間で前記第２の通信方式により通信接続するための設定情報を返信するとともに、前記投影装置に投影用の画像データを送信する場合には前記中継装置を介して送信する制御部として機能させる、
ことを特徴とするプログラム。